(57)【要約】      （修正有）【課題】再生産可能な資源である紙を主体としながら、合成樹脂製の外袋を省略することができる、紙製抽出容器を提供する。【解決手段】紙層とガスバリア層とシーラント層を有する積層体からなる台紙２と、紙層とガスバリア層とシーラント層を有する積層体からなる蓋材を、それぞれのシーラント層同士を対向させて周縁を熱シールしてなる抽出容器１であって、前記台紙に部分的に接着され、内部に被抽出物を収納した抽出袋１０を内蔵し、前記台紙は、抽出容器を飲用容器の縁に固定するための固定手段５を有し、前記蓋材を剥離除去し、前記抽出袋を開封した後、前記台紙を折り曲げ、飲用容器の縁に固定して湯を注ぐことにより、飲料を抽出可能としたことを特徴とする紙製抽出容器である。【選択図】図１
2014087672.tif 000002
【特許請求の範囲】
【請求項１】
台紙と、蓋材と、抽出袋とで構成される抽出容器であって、飲用容器の縁に固定して湯を注ぐことにより、被抽出物を抽出する抽出容器において、
台紙は中央から折り曲げ可能で、この折り曲げ線を挟んで両側に固定手段を有しており、この固定手段は飲用容器の縁に抽出容器を固定する手段であり、
抽出袋は、液体透過性の材質で、内部に被抽出物を封入した袋から構成されており、かつ、その一部に開封可能な開封部を有しており、
抽出袋は台紙に部分的に接着されており、
前記開封部から抽出袋を開封し、かつ、前記折り曲げ線から台紙を折り曲げ、この折り曲げ線が垂直方向になるように抽出容器を立てたとき、抽出袋と台紙との接着部分を接着部として、前記開封部が接着部より上方に位置するように構成されており、
蓋材は前記抽出袋を覆って周囲が台紙に接着されており、しかも、蓋材は台紙に剥離可能に接着されており、
前記台紙と蓋材の両方が、紙層とガスバリア層とを有する積層体から構成されていることを特徴とする紙製抽出容器。
【請求項２】
前記固定手段は、台紙の下部に設けた切り込みであることを特徴とする請求項１に記載の紙製抽出容器。
【請求項３】
容器内部のガスを排出するための逆止弁を備えたことを特徴とする請求項１または２に記載の紙製抽出容器。
【請求項４】
前記台紙の、少なくとも湯が接触する端面における紙層は、シーラント層または、シーラント層及びガスバリア層によってくるまれて保護されていることを特徴とする請求項１〜３のいずれか１項に記載の紙製抽出容器。
【請求項５】
前記抽出袋は開封用のミシン目を有し、該ミシン目より下部において前記台紙に固定されており、該ミシン目より上部において前記蓋材に固定されており、蓋材を台紙から剥離除去する際に、抽出袋も同時に開封されるようにしたことを特徴とする請求項１〜４のいずれか１項に記載の紙製抽出容器。
【発明の詳細な説明】
【技術分野】
【０００１】
本発明は、コーヒーや緑茶などを分包する紙製容器であって、展開して湯を注ぐことにより、簡便に抽出が可能な紙製抽出容器に関する。
【背景技術】
【０００２】
コーヒー、紅茶、緑茶などの細粒あるいは茶葉からそれぞれの飲料を簡便に抽出するための手段として、さまざまな包装形態が考案されている。紅茶や茶葉の場合であれば、不織布の袋に茶葉を収納し、糸を付けたティーバッグ形式が最も一般的である。
【０００３】
コーヒーの場合には、濾紙あるいは不織布の袋にコーヒーの細粒を収納したバッグをコーヒーカップあるいは、コーヒーサーバーの上に載置し、上から熱湯を注いで抽出する、いわゆるドリップ式が賞用されている。
【０００４】
ドリップ式コーヒーの包装形態としては、特許文献１に記載された「コーヒーの包装体」のように、コーヒーの細粒を収納した濾紙袋に、この袋をコーヒーカップの縁に固定するための紙製の足、ないしは引っ掛け片を取り付けたものが一般的である。この包装形態においては、保存性を確保するために、濾紙袋ないしは不織布製バッグ全体を防湿性と酸素バリア性を備えた合成樹脂フィルム製の外袋に収納しなければならない。
【０００５】
ところが、コーヒー豆の特性として、焙煎後に徐々に炭酸ガスを放出することが知られている。このため、外袋がぱんぱんに膨らんでしまうことを防止するために、予め袋の容量を余裕をもった大きなものにしておくか、あるいは炭酸ガス吸収性を兼ね備えた脱酸素剤を同梱することなどを行う必要があった。
【先行技術文献】
【特許文献】
【０００６】
【特許文献１】特開昭５９−１１５２６３号公報
【発明の概要】
【発明が解決しようとする課題】
【０００７】
従来の防湿性の外袋を用いる方法は、不必要に大きな袋や、高価な脱酸素剤が必要であり、省資源の観点からも、コストの面からも、また環境保護の面からも不都合であった。
【０００８】
本発明の解決しようとする課題は、再生産可能な資源である紙を主体としながら、合成樹脂製の外袋を省略することができる、紙製抽出容器を提案するものである。
【課題を解決するための手段】
【０００９】
上記の課題を解決するための手段として、請求項１に記載の発明は、台紙と、蓋材と、抽出袋とで構成される抽出容器であって、飲用容器の縁に固定して湯を注ぐことにより、被抽出物を抽出する抽出容器において、台紙は中央から折り曲げ可能で、この折り曲げ線を挟んで両側に固定手段を有しており、この固定手段は飲用容器の縁に抽出容器を固定する手段であり、抽出袋は、液体透過性の材質で、内部に被抽出物を封入した袋から構成されており、かつ、その一部に開封可能な開封部を有しており、抽出袋は台紙に部分的に接着されており、前記開封部から抽出袋を開封し、かつ、前記折り曲げ線から台紙を折り曲げ、この折り曲げ線が垂直方向になるように抽出容器を立てたとき、抽出袋と台紙との接着部分を接着部として、前記開封部が接着部より上方に位置するように構成されており、蓋材は前記抽出袋を覆って周囲が台紙に接着されており、しかも、蓋材は台紙に剥離可能
に接着されており、前記台紙と蓋材の両方が、紙層とガスバリア層とを有する積層体から構成されていることを特徴とする紙製抽出容器である。
【００１０】
本発明に係る紙製抽出容器は、被抽出物を収納した抽出袋をガスバリア層を有する台紙と蓋材とによって密封した構造を有するので、従来酸化劣化防止や防湿のために必須であった合成樹脂製の外袋が不要となる。
【００１１】
また、請求項２に記載の発明は、前記固定手段が、台紙の下部に設けた切り込みであることを特徴とする請求項１に記載の紙製抽出容器である。
【００１２】
また、請求項３に記載の発明は、容器内部のガスを排出するための逆止弁を備えたことを特徴とする請求項１または２に記載の紙製抽出容器である。
【００１３】
また、請求項４に記載の発明は、前記台紙の、少なくとも湯が接触する端面における紙層が、シーラント層または、シーラント層及びガスバリア層によってくるまれて保護されていることを特徴とする請求項１〜３のいずれか１項に記載の紙製抽出容器である。
【００１４】
また、請求項５に記載の発明は、前記抽出袋が開封用のミシン目を有し、該ミシン目より下部において前記台紙に固定されており、該ミシン目より上部において前記蓋材に固定されており、蓋材を台紙から剥離除去する際に、抽出袋も同時に開封されるようにしたことを特徴とする請求項１〜４のいずれか１項に記載の紙製抽出容器である。
【発明の効果】
【００１５】
本発明に係る紙製抽出容器は、被抽出物を収納した抽出袋をガスバリア層を有する台紙と蓋材とによって密封した構造を有するので、酸化劣化防止と防湿のために従来必須だった合成樹脂製の外袋が不要となった。このため省資源に役立つと共に、低コストな製品を供給することが可能となった。
【００１６】
台紙は、抽出容器を飲用容器の縁に固定するための固定手段を有するので、台紙をそのまま抽出容器として使用できる。このため、使用に当っては、蓋材を剥離除去して、台紙を罫線に沿って折るだけの簡単な操作で抽出ができる。
【００１７】
被抽出物として、コーヒーを収納した場合、従来の軟包装材を使用した外袋の場合には、発生する炭酸ガスによって袋が膨らむ現象があったが、本発明に係る紙製抽出容器は、紙を主体とする積層体を用いているため、ある程度剛性のある台紙を選択することにより、変形を防止することができる。
【００１８】
発生するガスによる包装体の変形は、逆止弁を備えることでさらに完全に防止することができる。
【００１９】
請求項５に記載の発明のように、台紙の、少なくとも湯が接触する端面における紙層が、シーラント層または、シーラント層及びガスバリア層によってくるまれて保護されている場合には、湯が接触した場合にも、紙の端面から湯が浸透することがなく、抽出液の風味に悪影響を及ぼすことが少なくなる。
【００２０】
請求項６に記載の発明のように、抽出袋に開封用のミシン目を設け、ミシン目より下部を台紙に固定し、ミシン目より上部を蓋材に固定することにより、蓋材を台紙から剥離除去した時に、抽出袋も同時に開封されるようにした場合には、蓋材の開封操作と同時に抽出袋も開封できるので、使い勝手がさらに向上する。
【図面の簡単な説明】
【００２１】
【図１】図１は、本発明に係る紙製抽出容器の一実施態様を示した平面模式図である。
【図２】図２は、図１のＡ−Ａ’断面を示した断面模式図である。
【図３】図３は、図１に示した紙製抽出容器を実際に使用する状態を示した斜視説明図である。
【図４】図４は、本発明に係る紙製抽出容器の層構成の例を示した断面模式図である。
【図５】図５は、本発明に係る紙製抽出容器の他の実施態様を示した平面模式図である。
【図６】図６は、図５のＢ−Ｂ’断面を示した断面模式図である。
【図７】図７は、紙層の端面を保護した状態を示した断面模式図である。
【発明を実施するための形態】
【００２２】
以下図面を参照しながら、本発明に係る紙製抽出容器について詳細に説明する。
本発明に係る紙製抽出容器（１）は、図４に示したように、紙層（２１）とガスバリア層（２３）を少なくとも有する積層体からなる台紙（２）と、同様に紙層（２１）とガスバリア層（２３）を少なくとも有する積層体からなる蓋材（３）を、それぞれのシーラント層同士を対向させて周縁を熱シールしてシール部（８）を形成してなる抽出容器である。
【００２３】
図４に示した例では、台紙（２）、蓋材（３）とも紙層（２１）とガスバリア層（２３）の間、及びガスバリア層（２３）とシーラント層（２４）の間に接着層（２２）が設けられている。紙層（２１）の外面には、特に図示していないが、印刷層や表面保護層が設けられる。
【００２４】
なお図４に示した構成では、台紙（２）と蓋材（３）のシーラント層（２４）のいずれか一方をイージーピール性を有するものとしても良い。
【００２５】
本発明に係る紙製抽出容器（１）は、台紙（２）に接着固定部（１３）で部分的に接着され、内部に被抽出物（１２）を収納した抽出袋（１０）を内蔵し、台紙（２）は、抽出容器（１）を飲用容器の縁に固定するための固定手段（５）を有する。図１の例では、固定手段（５）は、台紙の下部に設けた切り込み（６）である。
【００２６】
本発明に係る紙製抽出容器（１）は、図３に示したように、蓋材（３）を台紙（２）から剥離除去し、抽出袋（１０）を開封した後、台紙（２）を折罫線（４）に沿って折り曲げ、飲用容器の縁に固定して湯（１６）を注ぐことにより、飲料を抽出することができる。なお特に図示しないが、被抽出物の形状や量に応じて、台紙ないしは蓋材にプレス加工等により被抽出物のための空間を広げても良い。
【００２７】
図１の例では、蓋材（３）に、剥離のきっかけとなる開封タブ（７）が設けられている。抽出袋（１０）の周縁は、熱シールされて抽出袋シール部（１１）を形成している。抽出袋（１０）には、接着固定部（１３）の上にミシン目（１４）が設けられており、抽出袋シール部（１１）を持ってミシン目を切断することにより、容易に開封することができる。
【００２８】
図１に示した例では、台紙（２）に逆止弁（９）が設けられている。逆止弁（９）は、被抽出物から発生するガスを排出するために設けるものであり、被抽出物が特にガスを発
生しない場合には必要ない。逆止弁（９）は、蓋材（３）に設けてもよい。また、ガスを発生する場合であっても、少量であれば、逆止弁を設けなくても、台紙や蓋材の剛性が高いため、軟包装袋の場合ほど問題とならない場合もある。
【００２９】
図５は、本発明に係る紙製抽出容器（１）の他の実施態様を示した平面模式図である。また図６は、図５のＢ−Ｂ’断面を示した断面模式図である。図５、６に示した実施態様においては、固定手段（５）が台紙（２）の両側面に突出しており、本体との間に切り込み（６）が形成されている。
【００３０】
この例では、図６に示したように、抽出袋（１０）には開封用のミシン目（１４）が設けられており、ミシン目より下部に位置する接着固定部（１３）において台紙（２）に固定されており、ミシン目より上部に位置する接着固定部（１５）においては抽出袋シール部（１１）が蓋材（３）に固定されている。このようにしたことにより、蓋材（３）を台紙（２）から剥離除去する際に、抽出袋（１０）も同時に開封されるようにすることができる。
【００３１】
図７は、台紙（２）を構成する積層体において、紙層（２１）の端面を、シーラント層（２４）を折り返すことによって保護した状態を示した断面模式図である。このようにすることにより、抽出袋（１０）に注いだ湯が台紙の端面から紙層に浸み込むことがなくなり、台紙の強度が低下したり、抽出液の風味が損なわれたりすることが無くなる。
【００３２】
図７の例では、シーラント層（２４）のみを折り返しているが、シーラント層（２４）とガスバリア層（２３）を共に折り返しても良い。
【００３３】
紙層（２１）としては、マニラボール紙、白ボール、チップボールの坪量４００〜８５０ｇ／ｍ２程度の板紙や、坪量１６０〜６００ｇ／ｍ２程度の両面カード紙、裏白ボール紙、アイボリー紙、及びカートン原紙、カップ原紙などが使用できる。
【００３４】
ガスバリア層（２３）としては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレート（ＰＥＴ）フィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層、あるいはアルミニウム箔等の金属箔などを用いることができる。
【００３５】
シーラント層（２４）としては、ポリオレフィン系樹脂が一般的に使用され、具体的には、低密度ポリエチレン樹脂 、中密度ポリエチレン樹脂、直鎖状低密度ポリエチレン樹脂、エチレン−酢酸ビニル共重合体、エチレン−αオレフィン共重合体、エチレン−メタアクリル酸樹脂共重合体などのエチレン系樹脂や、ポリエチレンとポリブテンのブレンド樹脂や、ホモポリプロピレン樹脂、プロピレン−エチレンランダム共重合体、プロピレン−エチレンブロック共重合体、プロピレン−αオレフィン共重合体などのポリプロピレン系樹脂等が使用される。
【００３６】
台紙（２）と蓋材（３）のシーラント層をイージーピールタイプのものにすることにより、蓋材（３）の剥離を容易にすることもできる。イージーピールシーラントとしては、ポリオレフィン系ポリマーアロイ等の、市販の公知のイージーピールフィルムが使用できる。
【００３７】
以上、本発明に係る紙製抽出容器について、主に被抽出物がコーヒーの場合について記載したが、被抽出物は、コーヒーに限らず、緑茶、紅茶などの茶葉でも良いし、特に限定されるものではない。
【符号の説明】
【００３８】
１・・・紙製抽出容器
２・・・台紙
３・・・蓋材
４・・・折罫線
５・・・固定手段
６・・・切り込み
７・・・開封タブ
８・・・シール部
９・・・逆止弁
１０・・・抽出袋
１１・・・抽出袋シール部
１２・・・被抽出物
１３・・・接着固定部
１４・・・ミシン目
１５・・・接着固定部
１６・・・湯
２１・・・紙層
２２・・・接着層
２３・・・ガスバリア層
２４・・・シーラント層
【図１】
2014087672.tif 000003
【図２】
2014087672.tif 000004
【図３】
2014087672.tif 000005
【図４】
2014087672.tif 000006
【図５】
2014087672.tif 000007
【図６】
2014087672.tif 000008
【図７】
2014087672.tif 000009